(57)【要約】【課題】基板上に支持された液晶表示パネルが調理器外殻に形成された覗き窓から露出しており、覗き窓が上記調理器外殻に貼り付けられたシート部材で外方から被覆されている調理器用表示装置において、調理器外殻の成形金型を変更すること及び部品点数を増やすことなく、上記液晶表示パネルの大小を変更可能とし、かつシート部材に凹みが生じることを防止する。【解決手段】液晶表示パネル１１と炊飯器１の器体外殻に形成された覗き窓１２の窓縁１２ａとの間が離隔されており、炊飯器１内に備わる液晶スペーサ１４には、上記の離隔隙間Ｓｂでシート部材１３を受ける壁面部１４ｄが一体成形されている。液晶表示パネル１１を小型化する場合、壁面部１４ｄの大型化でシート部材１３の凹みを防ぎ、液晶表示パネル１１を大型化する場合、壁面部１４ｄの小型化で設置空間や露出空間を広げることが可能になる。【選択図】図２
2007061374.tif 000002
【特許請求の範囲】
【請求項１】
基板上に支持された液晶表示パネルが調理器外殻に形成された覗き窓から露出しており、上記覗き窓が上記調理器外殻に貼り付けられたシート部材で外方から被覆されている調理器用表示装置において、上記液晶表示パネルと上記覗き窓の窓縁との間が離隔されており、上記調理器内に備わる樹脂部材に上記の離隔隙間で上記シート部材を受ける壁面部が一体成形されていることを特徴とする調理器用表示装置。
【請求項２】
上記樹脂部材が上記基板と一体化される部材からなる請求項１に記載の調理器用表示装置。
【請求項３】
上記壁面部が、上記覗き窓の窓縁外端で形成される仮想面よりも内方に位置しており、かつ上記覗き窓の窓縁内端で形成される仮想面よりも外方に位置している請求項１または２に記載の調理器用表示装置。
【発明の詳細な説明】
【技術分野】
【０００１】
この発明は、電気炊飯器やホットプレートなどの調理器が備える表示装置に関する。
【背景技術】
【０００２】
この種の調理器用表示装置としては、基板上に液晶表示パネルを支持する液晶スペーサを備えたものが挙げられる。例えば、上記液晶表示パネル、上記基板、この基板に実装されたタクトスイッチに対向するスイッチスペーサの一体化ユニットを炊飯器内に設置し、上記スイッチスペーサに上記液晶スペーサを囲む液晶囲み部を設けたものがある。この液晶囲み部は、上記液晶表示パネルの表示を補足する情報などが示されたメニューシートを保持し、上記液晶表示パネルと上記メニューシートは、炊飯器の肩部に形成された覗き窓から露出している。上記覗き窓は、肩部の外壁面に貼り付けられたパネルシートで外方から被覆されている（特許文献１参照）。
【０００３】
上記のような調理器用表示装置においては、製品のモデルチェンジや製品間での部品共通化などに伴いメニューシートの省略や液晶表示パネルの大小変更が求められる。例えば、液晶表示パネルの小型化を図ると、変更前の覗き窓では、液晶表示パネルと覗き窓の窓縁との間がより離隔することになる。
【０００４】
上記の離隔隙間が大きい状態でパネルシートを肩部の外壁面に貼り付けると、パネルシートの覗き窓を覆う部分が内方に凹み易い。この凹み部分は、操作時に注目される部分で生じるため、光沢の変化などで目立ち易く、製品外観の印象に悪影響を及ぼす。
【０００５】
上記問題を回避する手段としては、覗き窓を適宜に小さくすることが考えられるが、これには肩部成形金型の変更（作り直しや修正）を要する。ところが、肩部材のような調理器外殻部品は調理器部品の中で最も大きい部類なので、この成形金型の変更はコストの点で負担が大きい。
【０００６】
そこで、上記覗き窓を透明プレートで閉塞し、この透明プレートを覆うように上記パネルシートを貼り付けたものがある（特許文献２参照）。
【０００７】
【特許文献１】特開２００３−１８０５１４号公報（図１から図４）
【特許文献２】特開平１１−２５７９２号公報（図１、図３、図５、図１０）
【発明の開示】
【発明が解決しようとする課題】
【０００８】
しかしながら、特許文献２の調理器用表示装置では、上記透明プレートのように覗き窓を塞ぐ部材を用いるので、新たな部品製造コストが生じると共に、部品点数の増加に伴い組立てや部品管理の手間が増える。また、特許文献２の調理器用表示装置で液晶表示パネルを大型化する場合は、上記液晶表示パネルの露出空間や設置空間を得るのに覗き窓を大きくすることになり、肩部成形金型の変更を実施せざるを得ない。
【０００９】
そこで、この発明の課題は、基板上に支持された液晶表示パネルが調理器外殻に形成された覗き窓から露出しており、上記覗き窓が上記調理器外殻に貼り付けられたシート部材で外方から被覆されている調理器用表示装置において、上記調理器外殻の成形金型を変更すること及び部品点数を増やすことなく、上記液晶表示パネルの大小を変更可能とし、かつ上記シート部材に凹みが生じることを防止することにある。
【課題を解決するための手段】
【００１０】
上記の課題を解決するため、この発明は、上記液晶表示パネルと上記覗き窓の窓縁との間が離隔されており、上記調理器内に備わる樹脂部材に上記の離隔隙間で上記シート部材を受ける壁面部が一体成形されている構成を採用したことを特徴とする。
【００１１】
上記構成によれば、上記液晶表示パネルを小型化する場合、上記シート部材の凹みは、上記壁面部を大型化することにより防止され、上記覗き窓を小さくすること、換言すれば、上記調理器外殻の成形金型を変更することが不要になる。一方、上記構成によれば、上記壁面部により上記シート部材の凹みが防止されるため、上記覗き窓と上記離隔隙間を大きめに設定することが可能になり、予め覗き窓の大きさに余裕をもたせられる。その結果、上記壁面部を小型化または省略することで上記液晶表示パネルの設置空間や露出空間を広げられる、すなわち、上記覗き窓を大きくすることなく上記液晶表示パネルの大型化を図ることが可能になる。
【００１２】
さらに、上記壁面部は上記調理器外殻内に備わる樹脂部材に一体成形されており、部材点数が増えることはない。
【００１３】
上述のように、この構成では、上記調理器外殻の成形金型を変更する代わりに上記樹脂部材の成形金型を適宜変更することになるが、上記樹脂部材の成形金型は上記調理器外殻の成形金型に比して小型のものなので、金型変更コストは低減される。
【００１４】
上記構成において、上記樹脂部材が上記基板と一体化される部材からなる構成を採用すれば、上記樹脂部材と上記液晶表示パネル、上記覗き窓の窓縁との距離が近いため、上記壁面部の形状が複雑化せず、その結果、上記壁面部を上記離隔隙間に容易に配置することができる。
【００１５】
上記基板と一体化される部材の具体例としては、上記液晶表示パネルを上記基板上に支持する液晶スペーサ、上記基板に実装されたタクトスイッチと上記調理器外殻の操作部との間に介在されるスイッチスペーサが挙げられる。上記液晶スペーサは、上記液晶表示パネル、上記窓縁との距離が特に近い点で、上記壁面部を一体成形するのに最も好ましい部材である。
【００１６】
上記構成においては、上記シート部材の貼り付け状態における形状が上記調理器外殻のシート貼り付け面形状に概ね一致するため、上記壁面部と上記シート貼り付け面とが組立て状態で同一面を形成する構成が最適であるが、上記樹脂部材や上記調理器外殻の成形誤差を考慮する必要がある。
【００１７】
そこで、上記構成において、上記壁面部が、上記覗き窓の窓縁外端で形成される仮想面よりも内方に位置しており、かつ上記覗き窓の窓縁内端で形成される仮想面よりも外方に位置している構成を採用すれば、上記壁面部は、上記シート貼り付け面に対し予め適度に内方にオフセットをもつことになる。その結果、組立て状態における上記壁面部の位置が上記の誤差により設定位置から外方にずれた場合でも、上記壁面部が上記シート貼り付け面よりも先に上記シート部材と当ることは防止される。したがって、この構成によれば、上記壁面部を上記の最適形状にしつつ、上記シート部材が上記壁面部で隆起されることを防止することができる。
【発明の効果】
【００１８】
上述のように、この発明に係る調理器用表示装置は、上記調理器外殻の成形金型を変更すること及び部品点数を増やすことなく、上記液晶表示パネルの大小を変更可能とし、かつ上記シート部材に凹みが生じることを防止することができる。
【発明を実施するための最良の形態】
【００１９】
この発明の第１実施形態に係る調理器用表示装置を添付図面に基づいて説明する。
図１に示すように、調理器は、炊飯器１として構成されている。内鍋２を収容する器体は、肩部材３、肩部材と嵌合一体化される胴底部材４、肩部材３に取り付けられた外蓋部材５などから構成されている。炊飯器１の外殻は、上記器体と、器体後部に一体化されたカバー部材６のような器体外装部材とから構成されている。
【００２０】
図２から図４に示すように、肩部材３の前方側上部には、炊飯器１の操作部が設けられている。炊飯器１の操作部は、調理メニューの設定画面などが出力される調理器用表示装置（以下、単に表示装置という）、この表示装置の周囲に配置されたプッシュ入力部などから構成されている。
【００２１】
表示装置は、基板１０上に支持された液晶表示パネル１１が肩部材３の前方側上部に形成された覗き窓１２から露出し、覗き窓１２が肩部材３の前方側上部に貼り付けられた樹脂製のシート部材１３で外方から被覆された構造となっている。
【００２２】
基板１０は、液晶表示パネル１１を支持する樹脂製の液晶スペーサ１４、基板１０上に実装されたタクトスイッチ（図示省略）とシート部材１３に形成されたエンボス部１３ａとの間に介在するスイッチスペーサ１５と一体化され、この状態で肩部材３にねじ止めされることにより炊飯器１内に設置されている。上記タクトスイッチ、上記エンボス部１３ａ、上記スイッチスペーサ１５は、上記プッシュ入力部を構成する。
【００２３】
上記液晶表示パネル１１は、矩形状のものが利用されており、液晶スペーサ１４により覗き窓１２内に支持されている。この支持状態で、液晶表示パネル１１はシート部材１３の透明部１３ｂより透視される。
【００２４】
液晶表示パネル１１と覗き窓１２の窓縁１２ａとの間は、上記の支持状態で離隔するように設定されている。この表示装置では、液晶表示パネル１１の画面サイズを変更する場合に備え、予め、液晶表示パネル１１の短手辺１１ａと窓縁１２ａとの間の離隔隙間Ｓａが、液晶表示パネル１１の長手辺１１ｂと窓縁１２ａとの間の離隔隙間Ｓｂよりも大きく設定されている。
【００２５】
液晶スペーサ１４（樹脂部材）は、液晶表示パネル１１の設置部１４ａと、基板１０に係合される一体化用の爪脚部１４ｂと、上記設置部１４ａを概ね囲むように形成された支持部１４ｃとが一体成形されており、基板１０に一体化された状態で炊飯器１の器体内に備えられる。
【００２６】
支持部１４ｃの内端は、基板１０に当接しており、支持部１４ｃの外端は、上記離隔隙間Ｓａ、Ｓｂの略全域を塞ぐように形成された壁面部１４ｄとなっている。この壁面部１４ｄは、上記窓縁１２ａの外端１２ｂ（以下、単に窓縁外端１２ｂといい、窓縁１２ａの内端１２ｃを窓縁内端１２ｃという）に連続するシート貼り付け面３ａと概ね同一面を形成している。このため、壁面部１４ｄは、上記離隔隙間Ｓａ、Ｓｂでシート部材１３を受け、シート部材１３の内方への凹みを防止する。
【００２７】
より具体的に述べると、上記壁面部１４ｄは、窓縁外端１２ｂで形成される仮想面Ｉｆ１よりも内方に位置し、かつ窓縁内端１２ｃで形成される仮想面Ｉｆ２よりも外方に位置している（なお、図４では仮想面Ｉｆ１、Ｉｆ２を強調するに留め、後述の第２実施形態を図４と同一の視線で示す図５（ａ）において、窓縁外端１２ｂ、窓縁内端１２ｃの形状を明瞭にした）。上記壁面部１４ｄと仮想面Ｉｆ１間のオフセット量ｈは、壁面部１４ｄが組立て状態で仮想面Ｉｆ１よりも外方に位置することがないように決定され、液晶スペーサ１４の成形誤差や肩部材３の成形誤差などを考慮して例えば０．５ｍｍ程度に設けられる。
【００２８】
なお、上記シート部材１３のうち、上記壁面部１４ｄに面しない部分は、完全に中空に浮かぶことになるが、シート部材１３の全体からすれば十分に小さい領域であり、外観上問題となるような凹みが生じることはない。
【００２９】
上記表示装置において、上記液晶表示パネル１１を小型化する場合には、これにより生じる上記離隔隙間Ｓａ、Ｓｂの広がりに応じて壁面部１４ｄを大型化すればよい。一方、上記液晶表示パネル１１の大型化を図る場合には、壁面部１４ｄを小型化または省略化することにより、離隔隙間Ｓａ、Ｓｂの限度で液晶表示パネル１１の設置空間や露出空間を広げればよい。上記のように壁面部１４ｄの形状を適宜変更すれば、炊飯器１の外殻を構成する肩部材３の成形金型を変更することなく、液晶表示パネル１１の大小を変更したり、メニューシートを追加したりすることができる。
【００３０】
なお、上記表示装置では、上記壁面部１４ｄに相当する部分が上記スイッチスペーサ１５に一体成形された構成、また、壁面部１４ｄが上記離隔隙間Ｓａ、Ｓｂを部分的に塞ぐように形成された構成を採用することが可能である。
【００３１】
以下、この発明の第２実施形態を図５、図６に基づいて説明する。なお、この説明においては、上記第１実施形態との相違点を中心に述べ、第１実施形態と同一の構成には同符号を付すのみにする。
図５、図６に示すように、基板１０に一体化された液晶スペーサ２０は、上記液晶表示パネル１１の外周を囲んで保持する側周壁から構成されている。基板１０に一体化されるスイッチスペーサ２１は、覗き窓１２を挟んで両側に配置された孔３ｂ内で上記エンボス部１３ａ越しに押される各スペーサ部２２と、各スペーサ２２部を支持するフレーム部２３とを有する。
【００３２】
上記フレーム部２３は、上記液晶スペーサ２０を挟んで対向する一対のボックス部２４を有する。ボックス部２４の側周部２４ａはその内端で基板１０に当接しており、ボックス部２４の外端は、上記離隔隙間Ｓａとの間を塞ぐ壁面部２４ｂとなっている。
【００３３】
ボックス部２４、壁面部２４ｂは、上記第１実施形態の支持部１４ｃ、壁面部１４ｄに相当する。壁面部２４ｂは、格子状に形成されている点で上記壁面部１４ｄと相違する。このように壁面部２４ｂを格子状に形成することにより、上記側周部２４ａの形成に伴う壁面部２４ｂのひけが防止され、その結果、壁面部２４ｂと上記シート貼り付け面３ａとを同一面に形成することが容易になる。
【図面の簡単な説明】
【００３４】
【図１】この発明の第１実施形態に係る調理器用表示装置を備えた炊飯器の全体構成図
【図２】図１の調理器用表示装置の断面図
【図３】図１の調理器用表示装置のシート部材を外した状態の外観斜視図
【図４】図２のＸ−Ｘ断面図
【図５】（ａ）この発明の第２実施形態に係る調理器用表示装置の要部断面図、（ｂ）（ａ）のスイッチスペーサの外面側を示した平面図、（ｃ）（ａ）のスイッチスペーサの内面側を示した平面図
【図６】図５の調理器用表示装置のシート部材を外した状態の外観斜視図
【符号の説明】
【００３５】
１  炊飯器
２  内鍋
３  肩部材
３ａ  貼り付け面
３ｂ  孔
４  胴底部材
５  外蓋部材
６  カバー部材
１０  基板
１１  液晶表示パネル
１１ａ  短手辺
１１ｂ  長手辺
１２  覗き窓
１２ａ  窓縁
１２ｂ  窓縁外端
１２ｃ  窓縁内端
１３  シート部材
１３ａ  エンボス部
１３ｂ  透明部
１４、２０  液晶スペーサ
１４ａ  設置部
１４ｂ  爪脚部
１４ｃ  支持部
１４ｄ、２４ｂ  壁面部
１５、２１  スイッチスペーサ
２２  スペーサ部
２３  フレーム部
２４  ボックス部
２４ａ  側周部
Ｉｆ１、Ｉｆ２  仮想面
Ｓａ、Ｓｂ  離隔隙間
【図１】
2007061374.tif 000003
【図２】
2007061374.tif 000004
【図３】
2007061374.tif 000005
【図４】
2007061374.tif 000006
【図５】
2007061374.tif 000007
【図６】
2007061374.tif 000008